(57)【要約】  【課題】装飾部品を適切に位置決めする建材を提供する。  【課題を解決するための手段】建材は、正面３２に嵌込溝３４が形成された縦桟１８と、装飾が施された装飾部４８を有し、嵌込溝３４の長手方向に延在し、装飾部４８が露出するように嵌込溝３４に嵌め込まれる装飾部品３６と、嵌込溝３４内に固定され、装飾部品３６の下端に当接する下止具３８と、を備える。【選択図】図６
2018172913.tif 000002
【特許請求の範囲】
【請求項１】
主面を有し、該主面に溝が形成された基体と、
装飾が施された装飾部を有し、前記溝の長手方向に延在し、該装飾部が露出するように該溝に嵌め込まれる装飾部品と、
前記溝内に固定され、前記装飾部品の一端に当接する止具と、
を備えることを特徴とする建材。
【請求項２】
前記装飾部は前記溝に被さるように配され、
前記止具は、
前記一端に当接する当接部と、
前記当接部に接続されており、前記溝内において前記装飾部の後方に配される内設部と、
を有することを特徴とする請求項１に記載の建材。
【請求項３】
前記装飾部品は、前記装飾部から前記溝の各内壁に沿って延出し、該内壁に形成された凹みと係合する一対の延出部を有し、
前記内設部は、一対の延出部の間に介在することを特徴とする請求項２に記載の建材。
【請求項４】
前記延出部の一方のみが前記凹みと係合することを特徴とする請求項３に記載の建材。
【発明の詳細な説明】
【技術分野】
【０００１】
本発明は建材に関する。
【背景技術】
【０００２】
建物のエクステリアに用いられる建材として、例えば、窓の屋外側全面に取り付けられる窓格子や、建物の敷地を囲うフェンスなどが用いられている。近年では、エクステリアにアクセントをつける目的や、風通しを確保しつつ外部からの視線を遮るための目隠しを目的として、木目調の角型ポールが所定の間隔をおいて立設されている。
【０００３】
このような建材には、素材の劣化が生じにくい金属材が多用されており、特に、軽量であり、かつ加工が容易なアルミニウム合金が広く使われている。建材のデザインについては、金属材そのものの質感や色彩を利用したものや、建物の外観に見合うように塗装されたものや、木目調のシートが貼り付けられたものなどがある。
【０００４】
ここで、アルミニウム合金製の建材として、縦格子型フェンスが特許文献１に記載されている。この縦格子型フェンスは、外枠内に複数の角筒状格子が一定間隔で並行に設けられたフェンスであって、装飾された複数の薄板片（装飾部品）が各角筒状格子の表面に嵌め込まれた構成となっている。各装飾部品が所定の位置に配置されることで、フェンスの一面に模様が形成されこととなる。
【先行技術文献】
【特許文献】
【０００５】
【特許文献１】実公平０２−１１５８６４号公報
【発明の概要】
【発明が解決しようとする課題】
【０００６】
上記特許文献１によると、角筒状格子の表面に嵌め込まれた装飾部品は、接着材やビスによって角筒状格子の所定の位置に位置決めされている。ここで、接着材を用いて装飾部品を貼り付ける手法は、手軽ではあるものの、一旦貼り付いた装飾部品を移動させるのは困難であり、例えば、フェンス全体の模様を確認した後に装飾部品の位置を微調整することができなくなる恐れがある。そこで、ビスを用いて装飾部品の位置調整を可能にすると、装飾部品の表面にビスの頭が露出することとなるため、フェンスを装飾する装飾部品そのものの外観を損ねてしまい、見る位置によってはフェンスを装飾しているとはいえない恐れがある。このように、フェンスを装飾するための装飾部品を格子に対して直接的に接着剤やビスを用いて位置決めするのは好ましくない。
【０００７】
上記のような問題は、フェンスの装飾に限られず、窓格子、手摺の手摺子、建物の目隠しやアクセントとして用いられるポールなど、他の建材にも共通するものである。
【０００８】
本発明は上記した課題に鑑み、装飾部品を適切に位置決めし得る建材を提供すること目的とする。
【課題を解決するための手段】
【０００９】
上記の目的を達成するため、本発明に係る建材は、主面を有し、該主面に溝が形成された基体と、装飾が施された装飾部を有し、前記溝の長手方向に延在して該装飾部が露出するように前記溝に嵌め込まれる装飾部品と、前記溝内に固定され、前記装飾部品の一端に当接する止具と、を備えることを特徴とする。
【００１０】
前記装飾部は前記溝に被さるように配され、前記止具は、前記一端に当接する当接部と、前記当接部に接続されており、前記溝内において前記装飾部の後方に配される内設部と、を有することを特徴とする。
【００１１】
前記装飾部品は、前記装飾部から前記溝の各内壁に沿って延出し、該内壁に形成された凹みと係合する一対の延出部を有し、前記内設部は、一対の延出部の間に介在することを特徴とする。
【００１２】
前記延出部の一方のみが前記凹みと係合することを特徴とする。
【発明の効果】
【００１３】
本発明によれば、溝内に固定された止具が装飾部品の端に当接することによって、装飾部品は位置決めされるので、従来のように、装飾するための装飾部品そのものの外観を損ねることがなく、装飾部品の取り付けに適している。
【図面の簡単な説明】
【００１４】
【図１】本実施形態に係る窓格子の正面図、及び窓格子の一部を拡大した断面図。
【図２】窓格子が備える縦材の斜視図。
【図３】（ａ）縦材が備える縦桟の斜視図、（ｂ）縦桟の断面図。
【図４】（ａ）縦材が備える装飾部品の斜視図、（ｂ）装飾部品の断面図。
【図５】（ａ）縦材が備える下止具の斜視図、（ｂ）下止具の平面図、（ｃ）下止具の底面図。
【図６】（ａ）縦桟に対する下止具の取付説明図、（ｂ）縦桟に対する下装飾部品の取付説明図、（ｃ）縦材の断面図。
【図７】（ａ）縦桟に対する中間止具の取付説明図、（ｂ）中間止具を下方からみた斜視図、（ｃ）縦材の断面図。
【図８】（ａ）縦桟に対する上装飾部品の取付説明図、（ｂ）縦桟に対する上止具の取付説明図。
【発明を実施するための形態】
【００１５】
以下、エクステリア用の建材である窓格子を例にとり、図面を参照しながら本発明の実施形態を説明する。
【００１６】
図１に示すように、本実施形態の窓格子１０は、建物の外壁１に固定された一対の横桟１２に、複数の縦材１４が取り付けられた構成となっている。
【００１７】
横桟１２は、アルミニウム合金などの金属材により成型されており、長手方向を水平に向けて窓３の表面と隙間を設けた状態で、窓３の上部と下部に一つずつ配置されている。この横桟１２の両端部には孔（不図示）が開設されており、ビス１６が当該孔を通じて窓３周りの外壁１に螺着される。これにより、一対の横桟１２が建物に固定される。
【００１８】
上記一対の横桟１２に対して直交するように複数の縦材１４が、一定の間隔をあけて並んで設けられている。各縦材１４は、基体である縦桟１８を備えている。縦桟１８は、アルミニウム合金などの金属材が角筒状に成型されたものであり、長手方向を鉛直に向けた状態で配置されている。当該縦桟１８は、ボルト２０とナット２２を用いて横桟１２に取り付けられる。当該ボルト２０は、縦桟１８の背面２４に形成された収納溝２６の端部からスライドさせて、その収納溝２６にボルト頭２０ａが収納され、収納溝２６から螺子部２０ｂが突出するように配されている。そして、螺子部２０ｂが横桟１２に開設された孔に通され、ナット２２が螺子部２０ｂに取り付けられる。なお、収納溝２６は、窓３に向かって配置される背面２４の中央を長手方向に延びて形成されており、当該収納溝２６の縁には、ボルト２０の脱落を防止するためのストッパー部２８が形成されている。
【００１９】
このように取り付けられた角筒状の縦桟１８は、上記した背面２４に加えて、図２に示すように、一対の側面３０および正面３２を有しており、本実施形態では、正面３２に形成された嵌込溝３４に対して２つの装飾部品３６が嵌め込まれ、当該装飾部品３６が複数の止具３８，４０，４２により止められている。以下、嵌込溝３４に対する装飾部品３６の取付態様を具体的に説明する。
【００２０】
図３に示すように、嵌込溝３４は縦桟１８の正面３２中央を縦断するように設けられている。嵌込溝３４には、一対の内壁面４４と、一対の内壁面４４の奥に形成された奥底面４６が形成されている。各内壁面４４は、溝の開口から奥底面４６に向かって順に形成された第１内壁面４４ａ、第２内壁面４４ｂ、及び第３内壁面４４ｃにより構成されている。第１内壁面４４ａは正面３２に対して略直角に形成されている。第２内壁面４４ｂは、第１内壁面４４ａに対して側方に凹むように（溝幅が広がるように）形成されている。第３内壁面４４ｃは、第１内壁面４４ａよりも内方に出っ張るように（溝幅が狭まるように）形成されている。
【００２１】
上記嵌込溝３４に嵌め込まれる装飾部品３６は、図４に示すように、装飾が施された部品であって、本実施形態においては、装飾部品３６ごとに異なった色彩が着色されている。当該装飾部品３６は、装飾が施された装飾部４８および一対の延出部５０を有している。装飾部４８は、縦桟１８の嵌込溝３４上に被さるように配されることにより露出するように配され、嵌込溝３４の溝幅よりは幅広かつ正面３２の幅よりは幅狭い薄板状に形成されている。
【００２２】
上記装飾部４８の裏側には、一対の延出部５０が設けられている。一対の延出部５０は、嵌込溝３４の第１内壁面４４ａに沿うように互いに間をあけて配され、装飾部４８に対して垂直に第２内壁面４４ｂの奥まで延出している。また、一対の延出部５０は嵌込溝３４の溝幅方向に弾性変形可能となっている。ここで、延出部の一方５０ａは、装飾部４８の裏面から第１内壁面４４ａに沿って略真っ直ぐ延出している。延出部の他方５０ｂは、装飾部４８の裏面から第１内壁面４４ａに沿って真っ直ぐ延出し、その先端部には第２内壁面４４ｂに向かって凸部５１が形成されている。当該凸部５１は、第２内壁面４４ｂと当接する平坦面５１ａを有しており、当該平坦面５１ａから延出部の他方５０ｂの先端部の間には傾斜面５１ｂ，５１ｃが形成されている。
【００２３】
上記の装飾部品３６を縦桟１８に取り付けるにあたり、図５に示すように、一の止具３８（以下、「下止具３８」という。）が予め嵌込溝３４内に取り付けられる。下止具３８は、縦桟１８の下側に配される装飾部品３６ａ（図２）（以下、「下装飾部品３６ａ」という。）の下端部を止めるための部材であって、嵌込溝３４内に設けられる内設体５２に当接体５４が取り付けられた構成となっている。
【００２４】
内設体５２は、縦桟１８の嵌込溝３４に嵌り込む角型ブロック部５６に、一対の平板部５８が設けられた構成となっている。角型ブロック部５６は、嵌込溝３４の長さ方向に高く延びており、その正面６０から背面６２にかけて貫通する２つの貫通孔６４と、下面（不図示）から上面６６にかけて貫通するように形成された螺子孔６８と、螺子孔６８から背面２４に向かって形成されたテーパー状の切欠き７０と、が形成されている。一対の平板部５８は、角型ブロック部５６の側面７２と段差なく、正面６０の下側から延出している。すなわち、角型ブロック部５６の幅と一対の平板部５８の幅は等しく形成されている。さらに、当該幅は、縦桟１８の奥底面４６の幅および装飾部品３６の一対の延出部５０（図４）の間隔と等しくなっている。
【００２５】
上記の内設体５２の下側には当接体５４が取り付けられている。当接体５４は、下装飾部品３６ａ（図２）の下端に当接する第１当接部７４および第２当接部７６が取付部７８を介して内設体５２に取り付けられた構成となっている。第１当接部７４は、棒状であり、嵌込溝３４上を横断するように配される。第２当接部７６は、板状であり、第１当接部７４から嵌込溝３４内に向かって延出している。この第２当接部７６から、嵌込溝３４の奥底面４６に向かって、板状の取付部７８が延出している。取付部７８の中心には貫通孔（不図示）が開設されており、当該貫通孔（不図示）に通された螺子８０が内設体５２の螺子孔６８に螺着されることで、内設体５２と当接体５４が一体的に組み合わされた下止具３８が形成される。
【００２６】
上記の下止具３８は、図６（ａ）（ｃ）に示すように、内設体５２が嵌込溝３４に形成された第３内壁面４４ｃの間に嵌め込まれ、下装飾部品３６ａの下端が配置されるべき適切な位置に第１当接部７４が配されるように、貫通孔６４を通じてビス８２が縦桟１８の奥底面４６に螺着される。これにより下止具３８が固定される。次に、図６（ｂ）に示すように、下装飾部品３６ａが、下止具３８の上方において嵌込溝３４に嵌め込まれ、下止具３８に当接するように下方にスライド移動される。第１当接部７４が装飾部４８の下端に当接することとなり、第２当接部７６（図５）が一対の延出部５０の下端に当接することとなる。これにより、下装飾部品３６ａは、下方への移動が規制される。また、図６（ｃ）に示すように、下装飾部品３６ａの下部に位置する一対の延出部５０の間には、内設体５２が介在することとなる。これにより、当該一対の延出部５０の弾性変形が内設体５２によって規制され、延出部の他方５０ｂと内壁面４４の凹み４３（第２内壁面４４ｂを含む凹み４３）との係合が維持され、下装飾部品３６ａの脱落が防止される。このようにして、下装飾部品３６ａの下端部は下止具３８によって止められる。
【００２７】
下装飾部品３６ａの上端部には、図７に示す中間止具４０が取り付けられる。この中間止具４０は、下装飾部品３６ａの上端部を止めるとともに、縦桟１８の上側に配される装飾部品３６ｂ（図２）（以下「上装飾部品３６ｂ」という。）の下端部を止めるための部材であって、一対の内設体８４の間に当接体５４が取り付けられた構成となっている。
【００２８】
中間止具４０の内設体８４は、角型ブロック部８６と、一対の平板部８８と、を有している。当該角型ブロック部８６には貫通孔が形成されていない点で下止具３８の角型ブロック部５６とは異なるが、その余の点では下止具３８の角型ブロック部５６と同じ形状をしている。一対の平板部８８は、角型ブロック部８６の側面９０および上下面と段差なく延出しており、一対の平板部８８の幅は角型ブロック部８６の幅と等しく形成されており、当該幅は縦桟１８の奥底面４６の幅および装飾部品３６の一対の延出部５０の間隔と等しくなっている。
【００２９】
中間止具４０の当接体５４は、下止具３８の当接体５４と同じ形状であり、その上下に配された一対の内設体８４に挟まれている。このような一対の内設体８４および当接体５４は、上側の内設体８４ａ（以下、「上内設体８４ａ」という。）から下側の内設体８４ｂ（以下、「下内設体８４ｂ」という）にかけて、螺子９２が当接体５４の貫通孔（不図示）を通じて各々の螺子孔６８に螺着されることで、一体的に組み合わされている。
【００３０】
中間止具４０は、下装飾部品３６ａの上方おいて嵌込溝３４に嵌め込まれた後、当接体５４が下装飾部品３６ａの上端に当接するように下方にスライド移動される。当接体５４が下装飾部品３６ａに当接すると、下装飾部品３６ａの上端部に位置する一対の延出部５０の間には下内設体８４ｂが介在することとなる（図７（ｃ））。
これにより、当該一対の延出部５０の弾性変形が下内設体５２によって規制され、延出部の他方５０ｂと内壁面４４の凹み４３（第２内壁面４４ｂを含む凹み４３）との係合が維持され、下装飾部品３６ａの脱落が防止される。
【００３１】
次に、図８に示すように、上装飾部品３６ｂが、中間止具４０の上方において嵌込溝３４に嵌め込まれた後、中間止具４０の当接体５４に当接するように下方にスライド移動される。すると、下装飾部品３６ａの上端部と略同様に（図７（ｃ））、上装飾部品３６ｂの下端部に位置する一対の延出部５０の間には、中間止具４０の上内設体８４ａが介在することとなり、当該一対の延出部５０の弾性変形が上内設体８４ａによって規制されることとなる。これにより、延出部の他方５０ｂと内壁面４４の凹み４３（第２内壁面４４ｂ（図７（ｃ）を含む凹み４３）との係合が維持されて、上装飾部品３６ｂの脱落が防止される。このようにして、上装飾部品３６ｂの下端部は中間止具４０によって止められる。
【００３２】
上装飾部品３６ｂの上端部には上止具４２が取り付けられる。上止具４２は、上装飾部品３６ｂの上端部を止めるための部材であって、内設体８４に当接体５４が取り付けられた構成となっている。なお、上止具４２の内設体８４は中間止具４０の下内設体８４ｂと同じであり、上止具４２の当接体５４は下止具３８の当接体５４と同じである。よって、これらの詳細な説明は対応する符号を付して省略するものとする。
【００３３】
このような上止具４２は、上装飾部品３６ｂの上方おいて嵌込溝３４に嵌め込まれた後、当接体５４が上装飾部品３６ｂの上端に当接するように下方にスライド移動される。上止具４２の当接体５４が上装飾部品３６ｂに当接すると、上装飾部品３６ｂの上端部に位置する一対の延出部５０の間には内設体８４が介在し、一対の延出部５０の弾性変形が規制されることとなる。これにより、延出部５０の他方と内壁面４４の凹み４３（第２内壁面４４ｂを含む凹み４３）との係合が維持されて、上装飾部品３６ｂの脱落が防止される。
【００３４】
本実施形態によれば、嵌込溝３４内に固定された下止具３８が下装飾部品３６ａの下端に当接することにより、嵌込溝３４に嵌め込まれた下装飾部品３６ａが位置決めされている。よって、従来のように、装飾するための装飾部品３６ｂそのものに螺子を取り付ける必要がなく、下装飾部品３６ａの取り付けに適している。
【００３５】
また、装飾部品３６は、各止具３８，４０，４２の内設体５２，８４によって一対の延出部５０の弾性変形が規制されることにより、装飾部４８の裏側の嵌込溝３４内で止められている。このため、装飾部４８全面を用いて装飾することが可能となっている。
【００３６】
さらに、下止具３８のみをビスで縦桟１８に固定するだけでよく、中間止具４０や上止具４２のビス止めを要さず、従来のように個々の装飾部品を接着剤やビスを用いて固定する必要もない。よって、本実施形態は、従来と比較して格段に取付効率を向上させることが可能となっている。また、取り付けとは逆の工程を行えば、装飾部品３６を容易に取り外すことが可能となっている。したがって、本実施形態によると装飾部品３６の位置の再調整や、装飾部品の交換によるデザイン変更を極めて容易に行うことができる。このような効果は、建物全体における窓格子１０の装飾態様を決定するのに役立つ効果であり、装飾部品の位置の再調整や装飾部品の変更を想定していない従来のものにはない効果である。
【００３７】
また、装飾部品３６は、延出部の他方５０ｂのみが嵌込溝３４の内壁面４４に対して係合するように形成されているので、装飾部品３６を嵌込溝３４に嵌め込み易い。また、装飾部品３６を取り外すときには、装飾部品３６を上方へスライドさせた後、装飾部品３６を引抜くこととなるが、当該引抜きにも力を要さない。さらに、当該延出部の他方５０ｂの先端部に形成された傾斜面によって、より嵌め込み易く、引き抜き易くなっている。
【００３８】
さらに、本実施形態によれば、各止具３８，４０，４２に対して各装飾部品３６を互いに嵌め合わせることで、装飾部品３６が縦桟１８に固定されており、装飾部品３６や縦桟１８に余計な応力が生じていない。このため、縦桟１８や装飾部品３６に損傷や変形が生じにくい構成となっている。
【００３９】
本発明の実施形態を図面に基づいて説明したが、本発明は上記の実施形態に限られない。
【００４０】
（１）基体である縦桟１８の形状は、角筒状に限られず、円筒状や柱状であってもよい。また、その材質もアルミニウム合金以外の他の金属材であっても良いし、プラスチック材や、木材であってもよい。
【００４１】
（２）また、基体である縦桟１８の幅が広い場合には、正面３２に複数の嵌込溝３４を形成し、各嵌込溝３４に対して装飾部品３６を取り付けても良い。
【００４２】
（３）装飾部品３６の長さは、特に限定されず、実施形態よりも短いものや長いものであってもよい。また、一つの基体に対して取り付けられる装飾部品３６の数は、３つ以上であっても良い。さらに、一つの基体に対して一つの装飾部品３６を取り付けても良い。この場合には中間止具４０は使用されない。
【００４３】
（４）装飾部品３６の装飾部４８に施される装飾は、色彩のみに限られない。例えば、装飾部４８の全面に模様を付したものであってもよい。また、発光ダイオード（以下、「ＬＥＤ」という）が埋め込まれたものであっても良い。さらには、装飾部４８は、基板上に縦横に配列された複数のＬＥＤと、各ＬＥＤの発光を制御するコントローラと、を備えるＬＥＤモジュールであってもよい。また、装飾部４８の形状は平板状に限られず、曲面に装飾が施された半円筒状であってもよい。
【００４４】
（５）装飾部品３６の一対の延出部５０は、両方に嵌込溝３４と係合する突起を設けても良い。また、一対の延出部５０は、装飾部４８の全長に渡って延在する態様に限られず、装飾部４８の下端部および上端部のみに形成されてもよい。
【００４５】
（６）各止具３８，４０，４２は、内設体５２，８４に当接体５４が螺子８０により接続された態様に限られない。例えば、内設体５２，８４に対して当接体５４が接着剤によって接続されたものであっても良い。他には、内設体５２，８４と当接体５４とが一体的に成型されたものであってもよい。すなわち、止具３８，４０，４２は、装飾部品３６の端に当接する当接部と、当接部に接続されており、嵌込溝３４内において配設される内設部と、を備えていればよい。
【００４６】
（７）上記の実施形態では、窓格子１０を例に説明したが、これに限られない。例えば、基体は、目隠しや建物外観のアクセントとして用いられるポール、建物を区画するためのフェンスに用いられる骨材、または手摺子であってもよい。また、基体は、建物内外の壁面や柱などであってもよい。すなわち、基体は、正面３２や壁面、柱の周面など外観として視認しうる主面を有し、当該主面に溝が形成されたものであればよい。
【００４７】
本発明はその趣旨を逸脱しない範囲で、当業者の知識に基づき種々の改良、修正、変形を加えた態様で実施し得るものであり、これらの態様はいずれも本発明の範囲に属するものである。
【符号の説明】
【００４８】
１８  …  縦桟（基体）
３２  …  正面（主面）
３４  …  嵌込溝
３６  …  装飾部品
３８  …  下止具
４０  …  中間止具
４２  …  上止具
４８  …  装飾部
５０  …  延出部
５２  …  内設体
５４  …  当接体
８４  …  内設体
【図１】
2018172913.tif 000003
【図２】
2018172913.tif 000004
【図３】
2018172913.tif 000005
【図４】
2018172913.tif 000006
【図５】
2018172913.tif 000007
【図６】
2018172913.tif 000008
【図７】
2018172913.tif 000009
【図８】
2018172913.tif 000010